【手続補正書】
【提出日】平成15年6月9日(2003.6.9)
【手続補正１】
【補正対象書類名】明細書
【補正対象項目名】特許請求の範囲
【補正方法】変更
【補正の内容】
【特許請求の範囲】
【請求項１】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記平凸レンズ状集光素層の平凸レンズ状集光素が１０≦線数≦７０を満足する紗体を形成する紗線によってできた升目を単位として形成されており、前記画素層の画素が前記紗体の線数未満の近い線数からなる紗体を形成する紗線によってできる升目を単位として該升目のピッチと同一ピッチで形成されており、前記画素の形状と同一形状の拡大された虚像が前記平凸レンズ状集光素層の上方に現出することを特徴とする虚像現出装飾体。
【請求項２】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記平凸レンズ状集光素層の上方に現出することを特徴とする虚像現出装飾体。
【請求項３】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数未満の近い線数からなる紗体を形成する紗線によってできる升目を単位として該升目のピッチと同一ピッチで透明基板の他方の面に画素が形成されてなる請求項２記載の虚像現出装飾体。
【請求項４】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数未満の近い線数からなる紗体を形成する紗線によってできる升目を単位として該升目のピッチと同一ピッチで透明フィルムに画素が形成されてなる請求項２記載の虚像現出装飾体。
【請求項５】
画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように平凸レンズ状集光素層と他の画素層とが配置されてなり、各画素層に形成された画素の平凸レンズ状集光素に対するずれる幅が該各画素層において異なっており、各画素層の画素の形状と同一形状の拡大された各虚像が異なる高さ位置に現出する請求項１乃至４のいずれかに記載の虚像現出装飾体。
【請求項６】
画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように平凸レンズ状集光素層と他の画素層とが配置されてなり、他の画素層が二層以上積層されている場合には各他の画素層に形成された画素の平凸レンズ状集光素に対するずれる幅が該各他の画素層において異なっており、他の画素層の画素の形状と同一形状の拡大された虚像が前記重なっている画素を中心として他の画素層の下方に現出する請求項１乃至４のいずれかに記載の虚像現出装飾体。
【請求項７】
一画素層における画素が形状を異にする複数種類からなり、各画素を同一パターンで多数縦横に整列させて該各画素の形状と同一形状の拡大された虚像が重なった状態で現出する請求項１乃至６のいずれかに記載の虚像現出装飾体。
【請求項８】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記平凸レンズ状集光素層の平凸レンズ状集光素が１０≦線数≦７０を満足する紗体を形成する紗線によってできた升目を単位として形成されており、前記画素層の画素が前記紗体の線数を越える近い線数からなる紗体を形成する紗線によってできる升目を単位として該升目のピッチと同一ピッチで形成されており、前記画素の形状と同一形状の拡大された虚像が前記画素層の下方に現出することを特徴とする虚像現出装飾体。
【請求項９】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記画素層の下方に現出することを特徴とする虚像現出装飾体。
【請求項１０】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数を越える近い線数からなる紗体を形成する紗線によってできる升目を単位として該升目のピッチと同一ピッチで透明基板の他方の面に画素が形成されてなる請求項９記載の虚像現出装飾体。
【請求項１１】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数を越える近い線数からなる紗体を形成する紗線によってできる升目を単位として該升目のピッチと同一ピッチで透明フィルムに画素が形成されてなる請求項９記載の虚像現出装飾体。
【請求項１２】
画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように平凸レンズ状集光素層と他の画素層とが配置されてなり、各画素層に形成された画素の平凸レンズ状集光素に対するずれる幅が該各画素層において異なっており、各画素層の画素の形状と同一形状の拡大された各虚像が異なる深さ位置に現出する請求項８乃至１１のいずれかに記載の虚像現出装飾体。
【請求項１３】
画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように平凸レンズ状集光素層と他の画素層とが配置されてなり、他の画素層が二層以上積層されている場合には各他の画素層に形成された画素の平凸レンズ状集光素に対するずれる幅が該各他の画素層において異なっており、他の画素層の画素の形状と同一形状の拡大された虚像が前記重なっている画素を中心として平凸レンズ状集光素層の上方に現出する請求項８乃至１１のいずれかに記載の虚像現出装飾体。
【請求項１４】
一画素層における画素が形状を異にする複数種類からなり、各画素を同一パターンで多数縦横に整列させて該各画素の形状と同一形状の拡大された虚像が重なった状態で現出する請求項８乃至１３のいずれかに記載の虚像現出装飾体。
【請求項１５】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を該画素の列が順に同じ傾斜角を累積する傾斜パターンにて同一方向に並んで傾斜するように多数縦横に整列させて形成してなる画素層とからなり、前記各平凸レンズ状集光素と前記各画素とは少なくとも一組が上下において完全に重なっていると共に該重なっている平凸レンズ状集光素を中心とする対角線上の等距離にある他の平凸レンズ状集光素に対応する位置にある他の画素が該他の平凸レンズ状集光素に対して当該重なっている平凸レンズ状集光素を中心として点対称位置に横ずれして放射状に外側へ向かってずれていて、かつ、重なっている画素より外側の他の画素ほどずれる幅が大きくなるように前記平凸レンズ状集光素層と前記画素層とが配置されており、変形して拡大された画素の虚像が前記重なっている画素を中心として前記平凸レンズ状集光素層の上方に現出することを特徴とする虚像現出装飾体。
【請求項１６】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明基板の他方の面に画素が形成されてなる請求項１５記載の虚像現出装飾体。
【請求項１７】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明フィルムに画素が形成されてなる請求項１５記載の虚像現出装飾体。
【請求項１８】
画素層における画素が形状を異にする複数種類からなり、各画素を同一パターンで多数縦横に整列させて変形して拡大された各画素の虚像が重なった状態で現出する請求項１５乃至１７のいずれかに記載の虚像現出装飾体。
【請求項１９】
同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を該画素の列が順に同じ傾斜角を累積する傾斜パターンにて同一方向に並んで傾斜するように多数縦横に整列させて形成してなる画素層とからなり、前記各平凸レンズ状集光素と前記各画素とは少なくとも一組が上下において完全に重なっていると共に該重なっている平凸レンズ状集光素を中心とする対角線上の等距離にある他の平凸レンズ状集光素に対応する位置にある他の画素が該他の平凸レンズ状集光素に対して当該重なっている平凸レンズ状集光素を中心として点対称位置に横ずれして放射状に内側へ向かってずれていて、かつ、重なっている画素より外側の他の画素ほどずれる幅が大きくなるように前記平凸レンズ状集光素層と前記画素層とが配置されており、変形して拡大された画素の虚像が前記重なっている画素を中心として前記画素層の下方に現出することを特徴とする虚像現出装飾体。
【請求項２０】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明基板の他方の面に画素が形成されてなる請求項１９記載の虚像現出装飾体。
【請求項２１】
平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明フィルムに画素が形成されてなる請求項１９記載の虚像現出装飾体。
【請求項２２】
画素層における画素が形状を異にする複数種類からなり、各画素を同一パターンで多数縦横に整列させて変形して拡大された各画素の虚像が重なった状態で現出する請求項１９乃至２１のいずれかに記載の虚像現出装飾体。
【手続補正２】
【補正対象書類名】明細書
【補正対象項目名】００１６
【補正方法】変更
【補正の内容】
【００１６】
即ち、請求項１に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記平凸レンズ状集光素層は１０≦線数≦７０を満足する紗体を形成する紗線によってできた升目を単位として平凸レンズ状集光素が形成されており、前記画素層は前記紗体の線数未満の近い線数からなる紗体を形成する紗線によってできる升目を単位として該升目のピッチと同一ピッチで画素が形成されており、前記画素の形状と同一形状の拡大された虚像が前記平凸レンズ状集光素層の上方に現出する虚像現出装飾体である。
【手続補正３】
【補正対象書類名】明細書
【補正対象項目名】００１７
【補正方法】変更
【補正の内容】
【００１７】
また、請求項２に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なっている画素を中心として前記平凸レンズ状集光素層の上方に現出する虚像現出装飾体である。
【手続補正４】
【補正対象書類名】明細書
【補正対象項目名】００１８
【補正方法】変更
【補正の内容】
【００１８】
また、請求項３に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数未満の近い線数からなる紗体を形成する紗線によってできる升目を単位として該升目のピッチと同一ピッチで透明基板の他方の面に画素が形成されてなる請求項２記載の虚像現出装飾体である。また、請求項４に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数未満の近い線数からなる紗体を形成する紗線によってできる升目を単位として該升目のピッチと同一ピッチで透明フィルムに画素が形成されてなる請求項２記載の虚像現出装飾体である。


【手続補正５】
【補正対象書類名】明細書
【補正対象項目名】００１９
【補正方法】変更
【補正の内容】
【００１９】
また、請求項５に係る発明は、画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように平凸レンズ状集光素層と他の画素層とが配置されてなり、各画素層に形成された画素の平凸レンズ状集光素に対するずれる幅が該各画素層において異なっており、各画素層の画素の形状と同一形状の拡大された各虚像が異なる高さ位置に現出する請求項１及至４のいずれかに記載の虚像現出装飾体である。


【手続補正６】
【補正対象書類名】明細書
【補正対象項目名】００２０
【補正方法】変更
【補正の内容】
【００２０】
また、請求項６に係る発明は、画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように平凸レンズ状集光素層と他の画素層とが配置されてなり、他の画素層が二層以上積層されている場合には各他の画素層に形成された画素の平凸レンズ状集光素に対するずれる幅が該各他の画素層において異なっており、他の画素層の画素の形状と同一形状の拡大された虚像が前記重なっている画素を中心として他の画素層の下方に現出する請求項１乃至４のいずれかに記載の虚像現出装飾体である。


【手続補正７】
【補正対象書類名】明細書
【補正対象項目名】００２１
【補正方法】変更
【補正の内容】
【００２１】
また、請求項７に係る発明は、一画素層における画素が形状を異にする複数種類からなり、各画素を同一パターンで多数縦横に整列させて該各画素の形状と同一形状の拡大された虚像が重なった状態で現出する請求項１乃至６のいずれかに記載の虚像現出装飾体である。


【手続補正８】
【補正対象書類名】明細書
【補正対象項目名】００２２
【補正方法】変更
【補正の内容】
【００２２】
即ち、請求項８に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記平凸レンズ状集光素層は１０≦線数≦７０を満足する紗体を形成する紗線によってできた升目を単位として平凸レンズ状集光素が形成されており、前記画素層は前記紗体の線数を越える近い線数からなる紗体を形成する紗線によってできる升目を単位として該升目のピッチと同一ピッチで画素が形成されており、前記画素の形状と同一形状の拡大された虚像が前記画素層の下方に現出する虚像現出装飾体である。
【手続補正９】
【補正対象書類名】明細書
【補正対象項目名】００２３
【補正方法】変更
【補正の内容】
【００２３】
また、請求項９に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を多数縦横に整列させて形成してなる画素層とからなり、前記各平凸レンズ状集光素と前記各画素とは少なくとも一組が上下において完全に重なっていると共に該重なった画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように前記平凸レンズ状集光素層と前記画素層とが配置されており、前記画素の形状と同一形状の拡大された虚像が前記重なった画素を中心として前記画素層の下方に現出する虚像現出装飾体である。
【手続補正１０】
【補正対象書類名】明細書
【補正対象項目名】００２４
【補正方法】変更
【補正の内容】
【００２４】
また、請求項１０に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数を越える近い線数からなる紗体を形成する紗線によってできる升目を単位として該升目のピッチと同一ピッチで透明基板の他方の面に画素が形成されてなる請求項９記載の虚像現出装飾体である。また、請求項１１に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は前記紗体の線数を越える近い線数からなる紗体を形成する紗線によってできる升目を単位として該升目のピッチと同一ピッチで透明フィルムに画素が形成されてなる請求項９記載の虚像現出装飾体である。


【手続補正１１】
【補正対象書類名】明細書
【補正対象項目名】００２５
【補正方法】変更
【補正の内容】
【００２５】
また、請求項１２に係る発明は、画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に内側へ向かって同じ幅でずれていて、かつ、当該中心となる画素より外側の画素ほどずれる幅が大きくなるように平凸レンズ状集光素層と他の画素層とが配置されてなり、各画素層に形成された画素の平凸レンズ状集光素に対するずれる幅が該各画素層において異なっており、各画素層の画素の形状と同一形状の拡大された各虚像が異なる深さ位置に現出する請求項８乃至１１のいずれかに記載の虚像現出装飾体である。


【手続補正１２】
【補正対象書類名】明細書
【補正対象項目名】００２６
【補正方法】変更
【補正の内容】
【００２６】
また、請求項１３に係る発明は、画素層の下に更に同一形状・同一大きさの画素を多数縦横に整列させて形成してなる他の画素層が少なくとも一層積層されていると共に、当該他の画素層の各画素と各平凸レンズ状集光素とは少なくとも一組が上下において完全に重なっていると共に該重なっている画素と等距離にある他の画素が該他の画素と対応する平凸レンズ状集光素に対して当該重なっている画素を中心として放射状に外側へ向かって同じ幅でずれていて、かつ、当該中心となる画素より外側の画素ほどずれる幅が大きくなるように平凸レンズ状集光素層と他の画素層とが配置されてなり、他の画素層が二層以上積層されている場合には各他の画素層に形成された画素の平凸レンズ状集光素に対するずれる幅が該各他の画素層において異なっており、他の画素層の画素の形状と同一形状の拡大された虚像が前記重なっている画素を中心として平凸レンズ状集光素層の上方に現出する請求項８乃至１１のいずれかに記載の虚像現出装飾体である。


【手続補正１３】
【補正対象書類名】明細書
【補正対象項目名】００２７
【補正方法】変更
【補正の内容】
【００２７】
また、請求項１４に係る発明は、一画素層における画素が形状を異にする複数種類からなり、各画素を同一パターンで多数縦横に整列させて該各画素の形状と同一形状の拡大された虚像が重なった状態で現出する請求項８乃至１３のいずれかに記載の虚像現出装飾体である。


【手続補正１４】
【補正対象書類名】明細書
【補正対象項目名】００２８
【補正方法】変更
【補正の内容】
【００２８】
また、請求項１５に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を該画素の列が順に同じ傾斜角を累積する傾斜パターンにて同一方向に並んで傾斜するように多数縦横に整列させて形成してなる画素層とからなり、前記各平凸レンズ状集光素と前記各画素とは少なくとも一組が上下において完全に重なっていると共に該重なっている平凸レンズ状集光素を中心とする対角線上の等距離にある他の平凸レンズ状集光素に対応する位置にある他の画素が該他の平凸レンズ状集光素に対して当該重なっている平凸レンズ状集光素を中心として点対称位置に横ずれして放射状に外側へ向かってずれていて、かつ、重なっている画素より外側の他の画素ほどずれる幅が大きくなるように前記平凸レンズ状集光素層と前記画素層とが配置されており、変形して拡大された画素の虚像が前記重なっている画素を中心として前記平凸レンズ状集光素層の上方に現出する虚像現出装飾体である。


【手続補正１５】
【補正対象書類名】明細書
【補正対象項目名】００２９
【補正方法】変更
【補正の内容】
【００２９】
また、請求項１６に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明基板の他方の面に画素が形成されてなる請求項１５記載の虚像現出装飾体である。


【手続補正１６】
【補正対象書類名】明細書
【補正対象項目名】００３０
【補正方法】変更
【補正の内容】
【００３０】
また、請求項１７に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明フィルムに画素が形成されてなる請求項１５記載の虚像現出装飾体である。


【手続補正１７】
【補正対象書類名】明細書
【補正対象項目名】００３１
【補正方法】変更
【補正の内容】
【００３１】
また、請求項１８に係る発明は、画素層における画素が形状を異にする複数種類からなり、各画素を同一パターンで多数縦横に整列させて変形して拡大された各画素の虚像が重なった状態で現出する請求項１５乃至１７のいずれかに記載の虚像現出装飾体である。


【手続補正１８】
【補正対象書類名】明細書
【補正対象項目名】００３２
【補正方法】変更
【補正の内容】
【００３２】
また、請求項１９に係る発明は、同一形状・同一大きさの平凸レンズ状集光素を多数縦横に整列させて形成してなる平凸レンズ状集光素層と該平凸レンズ状集光素層の下に積層された透明基板層と該透明基板層の下に積層された同一形状・同一大きさの画素を該画素の列が順に同じ傾斜角を累積する傾斜パターンにて同一方向に並んで傾斜するように多数縦横に整列させて形成してなる画素層とからなり、前記各平凸レンズ状集光素と前記各画素とは少なくとも一組が上下において完全に重なっていると共に該重なっている平凸レンズ状集光素を中心とする対角線上の等距離にある他の平凸レンズ状集光素に対応する位置にある他の画素が該他の平凸レンズ状集光素に対して当該重なっている平凸レンズ状集光素を中心として点対称位置に横ずれして放射状に内側へ向かってずれていて、かつ、重なっている画素より外側の他の画素ほどずれる幅が大きくなるように前記平凸レンズ状集光素層と前記画素層とが配置されており、変形して拡大された画素の虚像が前記重なっている画素を中心として前記画素層の下方に現出する虚像現出装飾体である。


【手続補正１９】
【補正対象書類名】明細書
【補正対象項目名】００３３
【補正方法】変更
【補正の内容】
【００３３】
また、請求項２０に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明基板の他方の面に画素が形成されてなる請求項１９記載の虚像現出装飾体である。


【手続補正２０】
【補正対象書類名】明細書
【補正対象項目名】００３４
【補正方法】変更
【補正の内容】
【００３４】
また、請求項２１に係る発明は、平凸レンズ状集光素層はスクリーン印刷により１０≦線数≦７０を満足する紗体を形成する紗線によってできた升目を単位として透明基板の一方の面に平凸レンズ状集光素が印刷されてなり、画素層は平凸レンズ状集光素層の平凸レンズ状集光素の列と平行な画素の列を基準として  ０．００１°≦傾斜角≦１°を満足する傾斜パターンで透明フィルムに画素が形成されてなる請求項１９記載の虚像現出装飾体である。


【手続補正２１】
【補正対象書類名】明細書
【補正対象項目名】００３５
【補正方法】変更
【補正の内容】
【００３５】
また、請求項２２に係る発明は、画素層における画素が形状を異にする複数種類からなり、各画素を同一パターンで多数縦横に整列させて変形して拡大された各画素の虚像が重なった状態で現出する請求項１９乃至２１のいずれかに記載の虚像現出装飾体である。